(57)【要約】  【課題】  室内機の前面パネルを取り外したり電装部を分解することなく現場で据付工事ができるようにし、その工事の簡易化を図る。  【解決手段】  室外機との接続線を固定する配線固定具（コンジットコネクタ）１６と、該配線固定具１６を本体１０に対して取り付ける配線固定具取付具１４を備えた空気調和機の室内機において、前記配線固定具取付具１４を本体１０の背面側から着脱可能にした。【選択図】  図５
2006064297.tif 000002
【特許請求の範囲】
【請求項１】
室外機との接続線を固定する配線固定具と、該配線固定具を本体に対して取り付ける配線固定具取付具を備えた空気調和機の室内機において、
前記配線固定具取付具を前記本体の背面側から着脱可能にしたことを特徴とする空気調和機の室内機。
【請求項２】
請求項１に記載の空気調和機の室内機において、
前記配線固定具が、前記接続線を挿通するコンジットコネクタであることを特徴とする空気調和機の室内機。
【請求項３】
請求項１又は２に記載の空気調和機の室内機において、
前記配線固定具取付具から前記接続線を接続する端子までの間に接続線用の配線通路を備え、該配線通路が難燃性部材からなることを特徴とする空気調和機の室内機。
【発明の詳細な説明】
【技術分野】
【０００１】
本発明は、室外機との接続線を固定する配線固定具と、該配線固定具を本体に対して取り付ける配線固定具取付具を備えた空気調和機の室内機に関するものである。
【背景技術】
【０００２】
北米向け空気調和機では、火災その他の事故から人命や財産を保護するためのＵＬ規格が適用され、電気配線保護具としてのコンジットチューブでケーブルを覆うことが要求される。このため、従来では、空気調和機の室内機と室外機の間にケーブルで電気配線を行う据付工事の際に、室内機の外観部品である前面パネルや電装部を取り外し、さらに電装部の一部を分解してコンジットチューブを取り付けるためのコンジット取付具（配線固定具取付具）を取り出す必要があった（例えば、特許文献１参照）。特に、電装部の端子が前面に設けられたタイプでは、背面からケーブルを前面に向けて引き回す必要があった。
【特許文献１】特開２００３−０７４９０４号公報
【発明の開示】
【発明が解決しようとする課題】
【０００３】
このため、空気調和機の据付工事ごとに室内機の前面パネル取り外しや電装部の分解が必要となり、コンジットチューブの取り付けのために多大な手間がかかっていた。
【０００４】
本発明の目的は、室内機の前面パネルを取り外したり電装部を分解することなく現場での据付工事ができるようにし、その工事の簡易化を図った室内機を提供することである。
【課題を解決するための手段】
【０００５】
請求項１にかかる発明は、室外機との接続線を固定する配線固定具と、該配線固定具を本体に対して取り付ける配線固定具取付具を備えた空気調和機の室内機において、前記配線固定具取付具を前記本体の背面側から着脱可能にしたことを特徴とする。
【０００６】
請求項２にかかる発明は、請求項１に記載の空気調和機の室内機において、前記配線固定具が、前記接続線を挿通するコンジットコネクタであることを特徴とする。
【０００７】
請求項３にかかる発明は、請求項１又は２に記載の空気調和機の室内機において、前記配線固定具取付具から前記接続線を接続する端子までの間に接続線用の配線通路を備え、該配線通路が難燃性部材からなることを特徴とする。
【発明の効果】
【０００８】
本発明によれば、室内機の据付工事での電気配線工事において、配線固定具取付具を本体の背面側から着脱可能にしたので、その配線固定具取付具の取付作業の際に前面パネルを取り外したり電装部を分解する必要がない。このため、現場工事の効率化、配線工事の品質向上等を図ることができる。
【発明を実施するための最良の形態】
【０００９】
図１は室内機本体１０の前面の斜視図、図２は背面の斜視図である。図１および図２において、電装部１１は背面左端（図１では矢印Ａで示す）に設けられ、その下部に配線固定具取付部１２あるいはそれを取り付けるためのネジ穴やフックが設けられている。１３はケーシングである。図３はこの電装部１１および配線固定具取付部１２の部分（図２のＢ部分周辺）の拡大図であり、その配線固定具取付部１２には製造段階で予め配線固定具取付具（コンジット取付具）１４が取り付けられている。その取り付けは、配線固定具取付具１４の爪１４ａを配線固定具取付部１２のフック１２ａに係止し、ネジ１５で締め付けることにより行われている。
【００１０】
以下、電装部１１の端子へのケーブルの接続方法について説明する。まず、図３に示すように、ネジ１５を取り外すことにより配線固定具取付具１４を配線固定具取付部１２から取り外す。そして、図４に示すように、配線固定具（コンジットコネクタ）１６にケーブル１７を挿通してから、その配線固定具１６を配線固定具取付具１４の穴１４ｂに挿通し、反対側からリング１６ａをその配線固定具１６の雄ネジ部１６ｂに螺合して、配線固定具取付具１４に対して、配線固定具１６を一体化する。
【００１１】
次に、図５に示すように、心線を露出したケーブル１７の先端を配線固定具取付部１２の穴１２ｂから内部の難燃性部材からなる配線通路１８に挿入して、図６に示すように電装部１１の端子１１ａに電気的に接続する。この電気接続では、電装部１１は正面のフィルタ清掃用のカバーを開くことにより露出させておき正面から作業する。そして、図７に示すように、配線固定具取付具４の爪１４ａを配線固定具取付部１２のフック１２ａに係止してから、ネジ１５を配線固定具取付具１４から配線固定具取付部１２に締め付ける。
【００１２】
次に、ケーブル１７を覆うように挿入したコンジットチューブ（図示せず）を配線固定具１６のネジ１６ｂの締め付けにより固定すれば、室内機の電気配線工事が完了しケーブル配線の防火構造が実現できる。
【００１３】
以上のように、本実施例では、コンジットチューブの取り付けにおいて、室内機の背面で配線固定具１６を取り付けるので、前面パネルを取り外す必要がない。また、ケーブル１７を電装部１１の端子１１ａに接続する場合でも、その電装部１１はフィルタ清掃用のカバーを開けば露出する位置に設けられるので、この場合も前面パネルを取り外す必要がない。電装部１１が背面に設けられている場合には、カバーを開く必要もない。
【００１４】
したがって、室内機の据付工事の現場において、コンジットチューブ取付工事が極めて簡素化され、現場工事の効率化、配線工事の品質向上等を図ることができる。
【００１５】
なお、以上では配線固定具１６によりコンジットチューブを固定する場合について説明したが、コンジットチューブを使用しない据付工事においては、ケーブル１７が配線固定具１６により直接固定されることになる。
【００１６】
また、配線固定具取付具１２は、室内機の背面であればいずれの場所に設けても良い。また、配線固定具取付具１２は、電装部１１が室内機の背面に設けれられる場合は、その電装部１１の端子の近傍に設け、あるいは端子板と一体構造としてもよい。
【図面の簡単な説明】
【００１７】
【図１】本実施例の室内機の前面斜視図である。
【図２】本実施例の室内機の背面斜視図である。
【図３】本実施例の室内機の背面の配線固定具取付部および配線固定具取付具の説明図である。
【図４】本実施例の配線固定具の取付説明図である。
【図５】本実施例の配線固定具の取付状態の説明図である。
【図６】本実施例の配線固定具の室内機背面への取り付けおよびケーブル接続説明用の断面図である。
【図７】本実施例の配線固定具の室内機背面への取付説明図である。
【符号の説明】
【００１８】
１０：室内機本体
１１：電装部、１１ａ：端子
１２：配線固定具取付部、１２ａ：フック、１２ｂ：穴
１３：ケーシング
１４：配線固定具取付具（コンジット取付具）、１４ａ：爪、１４ｂ：穴
１５：ネジ
１６：配線固定具（コンジットチューブを取り付ける際はコンジットコネクタとなる）、１６ａ：リング、１６ｂ：雄ネジ部、１６ｂ：ネジ
１７：ケーブル
１８：配線通路
【図１】
2006064297.tif 000003
【図２】
2006064297.tif 000004
【図３】
2006064297.tif 000005
【図４】
2006064297.tif 000006
【図５】
2006064297.tif 000007
【図６】
2006064297.tif 000008
【図７】
2006064297.tif 000009